(57)【要約】【課題】色の均一度に優れたバックライトユニットを提供する。【解決手段】本発明は、バックライトユニットとこれを含む液晶表示装置に関する。本発明によるバックライトユニットは、点光源回路基板５１と、点光源回路基板５１上に一列に装着されている複数の点光源グループ６１からなる点光源グループ列６２とを含み、少なくとも一部の点光源グループ６１は互いに異なる回転角を有することを特徴とする。【選択図】図３
2007027114.tif 000002
【特許請求の範囲】
【請求項１】
点光源回路基板と、
前記点光源回路基板上に一列に装着されている複数の点光源グループからなる点光源グループ列と、を含み、
少なくとも一部の前記点光源グループは互いに異なる回転角を有することを特徴とするバックライトユニット。
【請求項２】
隣接する前記点光源グループの間の回転角の差は一定であることを特徴とする、請求項１に記載のバックライトユニット。
【請求項３】
前記点光源グループは一定の方向に回転されていることを特徴とする、請求項１に記載のバックライトユニット。
【請求項４】
前記点光源グループ列の両端に位置する前記点光源グループ間の回転角の差は１８０度であることを特徴とする、請求項３に記載のバックライトユニット。
【請求項５】
前記点光源グループ列の中心を基準として、前記点光源グループの回転方向が反対であることを特徴とする、請求項１に記載のバックライトユニット。
【請求項６】
前記点光源グループ列の両端に位置する前記点光源グループは、回転角が同一であることを特徴とする、請求項５に記載のバックライトユニット。
【請求項７】
前記点光源グループ列は複数個であり、並んで配置されていることを特徴とする、請求項１に記載のバックライトユニット。
【請求項８】
隣接する前記点光源グループ列に配置されている点光源グループは、互いに行き違うように配置されていることを特徴とする、請求項７に記載のバックライトユニット。
【請求項９】
隣接する前記点光源グループ列のうちのいずれか一つの前記点光源グループは回転されており、他の一つの前記点光源グループは回転されていないことを特徴とする、請求項７に記載のバックライトユニット。
【請求項１０】
前記点光源グループは互いに異なる色相を発光する３個の点光源で構成されていることを特徴とする、請求項１に記載のバックライトユニット。
【請求項１１】
前記３個の点光源は正三角形をなすように配置されていることを特徴とする、請求項１０に記載のバックライトユニット。
【請求項１２】
前記点光源グループは、一つの青色光の点光源、一つの赤色光の点光源、および一対の緑色光の点光源で構成されていることを特徴とする、請求項１に記載のバックライトユニット。
【請求項１３】
前記点光源グループは、前記一対の緑色光の点光源が対向する菱形をなすように配置されていることを特徴とする、請求項１２に記載のバックライトユニット。
【請求項１４】
隣接する前記点光源グループの間の回転角は１８０度であることを特徴とする、請求項１３に記載のバックライトユニット。
【請求項１５】
前記一対の緑色光の点光源は、前記点光源グループの配置方向と平行に配置されていることを特徴とする、請求項１３に記載のバックライトユニット。
【請求項１６】
点光源回路基板と、
前記点光源回路基板上に装着されている複数の点光源グループと、を含み、
少なくとも一部の前記点光源グループは互いに異なる回転角を有することを特徴とするバックライトユニット。
【請求項１７】
液晶表示パネルと、
前記液晶表示パネルの背面に配置されている点光源回路基板と、
前記点光源回路基板上に一列に装着されている複数の点光源グループからなる点光源グループ列と、を含み、
少なくとも一部の前記点光源グループは互いに異なる回転角を有することを特徴とする液晶表示装置。
【請求項１８】
点光源回路基板を備える段階と、
前記点光源回路基板上に点光源を装着して回転角の異なる複数の点光源グループを形成する段階と、を含むことを特徴とする点光源配置方法。
【発明の詳細な説明】
【技術分野】
【０００１】
本発明はバックライトユニットとこれを含む液晶表示装置に係わり、より詳しくは、点光源の配置を調節することで色の均一性を向上させたバックライトユニットと、これを含む液晶表示装置に関する。
【背景技術】
【０００２】
最近、従来のＣＲＴの代わりに、液晶表示装置（ＬＣＤ）、ＰＤＰ（ｐｌａｓｍａ  ｄｉｓｐｌａｙ  ｐａｎｅｌ）、ＯＬＥＤ（ｏｒｇａｎｉｃ  ｌｉｇｈｔｅｍｉｔｔｉｎｇ  ｄｉｏｄｅ）などの平板表示装置が多く開発されている。
【０００３】
この中で液晶表示装置は、薄膜トランジスター基板、カラーフィルター基板、及び両基板の間に液晶が注入されている液晶表示パネルを含む。液晶表示パネルは非発光素子であるので、薄膜トランジスター基板の後面には光を供給するためのバックライトユニットが位置する。バックライトユニットから照射された光は、液晶の配列状態によって透過量が調整される。液晶表示パネルとバックライトユニットはシャシーの内に収容されている。
【０００４】
バックライトユニットは光源の位置によってエッジ型と直下型とに区分される。エッジ型は導光板の側面に光源が設置される構造であって、主にラップトップ型及びデスクトップコンピューターのように比較的大きさの小さい液晶表示装置に適用される。このようなエッジ型バックライトユニットは光の均一性が良く、耐久寿命が長く、液晶表示装置の薄型化に有利である。
【０００５】
直下型は、液晶表示装置の大きさが大型化されながら重点的に開発された構造であって、液晶表示パネルの下部面に一つ以上の光源を配置させ、液晶表示パネルに全面的に光を供給する構造である。このような直下型バックライトユニットは、エッジ型バックライトユニットに比べて多い数の光源を利用することができるので、高い輝度を確保することができるという長所がある反面、輝度が均一ではないという短所がある。
【０００６】
直下型バックライトユニットの光源として、ランプのような線光源でない発光ダイオード（ｌｉｇｈｔ  ｅｍｉｔｔｉｎｇ  ｄｉｏｄｅ）のような点光源が注目されている。点光源は複数の点光源からなっており、白色光を供給することができる点光源グループを基本単位として実装され、点光源グループは点光源回路基板に一列に実装される。
【０００７】
ところが、従来の点光源バックライトユニットの場合、各色相の点光源が持つ特性偏差によって色相の不均一が発生し、これによって使用者が横帯状または縦帯状を認識するという問題がある。
【発明の開示】
【発明が解決しようとする課題】
【０００８】
本発明の目的は、色の均一度に優れたバックライトユニットを提供することにある。本発明の他の目的は、色の均一度に優れたバックライトユニットを含む液晶表示装置を提供することにある。
【０００９】
本発明のまた他の目的は、液晶表示装置において、点光源を効率的に配置する方法を提供することにある。
【課題を解決するための手段】
【００１０】
前記本発明の目的は、点光源回路基板と、前記点光源回路基板上に一列に装着されている複数の点光源グループからなる点光源グループ列とを含み、少なくとも一部の前記点光源グループは互いに異なる回転角を有するバックライトユニットによって達成されることができる。
【００１１】
隣接する前記点光源グループの間の回転角の差は一定であることが好ましい。
【００１２】
前記点光源グループは一定の方向に回転されていることが好ましい。
【００１３】
前記点光源グループ列の両端に位置する前記点光源グループ間の回転角の差は１８０度であることが好ましい。
【００１４】
前記点光源グループ列の中心を基準として、前記点光源グループの回転方向が反対であることが好ましい。
【００１５】
前記点光源グループ列の両端に位置する前記点光源グループは、回転角が同一であることが好ましい。
【００１６】
前記点光源グループ列は複数個であり、並んで配置されていることが好ましい。
【００１７】
隣接する前記点光源グループ列に配置されている点光源グループは、互いに行き違うように配置されていることが好ましい。
【００１８】
隣接する前記点光源グループ列のうちのいずれか一つの前記点光源グループは回転されており、他の一つの前記点光源グループは回転されていないことが好ましい。
【００１９】
前記点光源グループは互いに異なる色相を発光する３個の点光源で構成されていることが好ましい。
【００２０】
前記３個の点光源は正三角形をなすように配置されていることが好ましい。
【００２１】
前記点光源グループは、一つの青色光の点光源、一つの赤色光の点光源、一対の緑色光の点光源で構成されていることが好ましい。
前記点光源グループは、前記一対の緑色光の点光源が対向する菱形をなすように配置されていることが好ましい。
【００２２】
隣接する前記点光源グループの間の回転角は１８０度であることが好ましい。
【００２３】
前記一対の緑色光の点光源は前記点光源グループの配置方向と平行に配置されていることが好ましい。
【００２４】
前記本発明の目的は、点光源回路基板と、前記点光源回路基板上に装着されている複数の点光源グループとを含み、少なくとも一部の前記点光源グループは互いに異なる回転角を有するバックライトユニットによっても達成されることができる。
【００２５】
前記本発明の他の目的は、液晶表示パネルと、前記液晶表示パネルの背面に配置されている点光源回路基板と、前記点光源回路基板上に一列に装着されている複数の点光源グループからなる点光源グループ列とを含み、少なくとも一部の前記点光源グループは互いに異なる回転角を有する液晶表示装置によって達成されることができる。
【００２６】
前記本発明のまた他の目的は、点光源回路基板を備える段階と、前記点光源回路基板上に点光源を装着して回転角の異なる複数の点光源グループを形成する段階とを含む点光源配置方法によって達成されることができる。
【発明の効果】
【００２７】
本発明によれば、色の均一度に優れたバックライトユニットが提供される。
【００２８】
また、本発明によれば、色の均一度に優れたバックライトユニットを含む液晶表示装置が提供される。
【発明を実施するための最良の形態】
【００２９】
以下、添付された図面を参照して、本発明についてさらに詳細に説明する。
【００３０】
以下の実施形態においては、点光源として発光ダイオードを例に挙げて説明するが、本発明の点光源は発光ダイオードに限定されない。
【００３１】
なお、以下で説明するいろいろな実施形態において、同一の構成要素については同一の参照番号を付けており、同一の構成要素については第１実施形態で代表的に説明し、他の実施形態では省略され得る。
【００３２】
本発明の第１実施形態による液晶表示装置について、図１乃至図３を参照して説明すれば次の通りである。
【００３３】
図１は本発明の第１実施形態による液晶表示装置の分解斜視図であり、図２は本発明の第１実施形態による液晶表示装置の断面図であり、図３は本発明の第１実施形態による発光ダイオードの配置を説明するための図面である。
【００３４】
液晶表示装置１は、液晶表示パネル２０、液晶表示パネル２０の背面に順次に位置した光調節部材３０、反射板４０、発光ダイオード回路基板（点光源回路基板）５１、及び発光ダイオード回路基板５１に実装されていて反射板４０の発光ダイオード収容孔４１に位置している発光ダイオード６０を含む。
【００３５】
液晶表示パネル２０、光調節部材３０、及び発光ダイオード回路基板５１は、上部シャシー１０と下部シャシー７０とに収容されている。
【００３６】
液晶表示パネル２０は、薄膜トランジスターが形成されている薄膜トランジスター基板２１、薄膜トランジスター基板２１と対面しているカラーフィルター基板２２、両基板２１、２２を接合させてセルギャップ（ｃｅｌｌ  ｇａｐ）を形成するシーラント２３、及び両基板２１、２２とシーラント２３との間に位置する液晶層２４を含む。第１実施形態で、液晶表示パネル２０は長辺と短辺を有する長方形で備えられている。液晶表示パネル２０は液晶層２４の配列を調整して画面を形成するが、非発光素子であるため、背面に位置した発光ダイオード６０から光の供給を受けなければならない。薄膜トランジスター基板２１の一側には駆動信号を印加するための駆動部２５が設けられている。駆動部２５は、軟性印刷回路基板（ＦＰＣ）２６、軟性印刷回路基板２６に装着されている駆動チップ２７、及び軟性印刷回路基板２６の他側に連結されている回路基板（ＰＣＢ）２８を含む。図示された駆動部２５はＣＯＦ（ｃｈｉｐ  ｏｎ  ｆｉｌｍ）方式を示しているものであるが、駆動部２５はＴＣＰ（ｔａｐｅ  ｃａｒｒｉｅｒ  ｐａｃｋａｇｅ）、ＣＯＧ（ｃｈｉｐ  ｏｎ  ｇｌａｓｓ）など公知の他の方式も可能である。また、駆動部２５が配線の形成過程で薄膜トランジスター基板２１に形成されることも可能である。
【００３７】
液晶表示パネル２０の背面に位置する光調節部材３０は、拡散板３１、プリズムフィルム３２、及び保護フィルム３３を含むことができる。
【００３８】
拡散板３１は、ベース板と、ベース板に形成された玉状のビーズを含むコーティング層とで形成される。拡散板３１は発光ダイオード６０から供給された光を拡散させ、輝度を均一にする。
【００３９】
プリズムフィルム３２は上部面に、三角柱形態のプリズムが一定の配列を有して形成されている。プリズムフィルム３２は、拡散板３１で拡散した光を上部の液晶表示パネル２０の配置平面に垂直した方向に集光する役割を果たす。プリズムフィルム３２は、通常、２枚用いられ、各プリズムフィルム３２に形成されたマイクロプリズムは所定の角度をなしている。プリズムフィルム３２を通過した光はほとんど大部分が垂直に進行され、均一な輝度分布を提供するようになる。必要に応じてプリズムフィルム３２と共に反射偏光フィルムを用いることができ、プリズムフィルム３２なしで反射偏光フィルムのみを用いることも可能である。
【００４０】
最上部に位置する保護フィルム３３は、スクラッチに弱いプリズムフィルム３２を保護する。
【００４１】
発光ダイオード６０が実装されていない発光ダイオード回路基板５１上には、反射板４０が設けられている。反射板４０には発光ダイオード６０の配置に対応する発光ダイオード収容孔４１が形成されている。発光ダイオード収容孔４１は互いに平行な８個の列からなっており、１３個の発光ダイオード収容孔４１を有した列と、１２個の発光ダイオード収容孔４１を有した列が繰り返されている。発光ダイオード収容孔４１は、隣接した列間には互いに行き違うように配置されている。各発光ダイオード収容孔４１には３個の発光ダイオード６０からなる発光ダイオードグループ（点光源グループ）６１が位置し、発光ダイオード収容孔４１は発光ダイオードグループ６１に比べて多少大きく形成されることができる。
【００４２】
反射板４０は、下部に入射する光を反射させて拡散板３１に供給する役割を果たす。反射板４０はポリエチレンテレフタレート（ＰＥＴ）やポリカーボネート（ＰＣ）で作られることができ、銀やアルミニウムがコーティングされていることもできる。また、反射板４０は、発光ダイオード６０から発生する強い熱によって歪みが生じないように、多少厚く形成されることができる。
【００４３】
発光ダイオード回路基板５１はバー形状であり、８個が並んで等間隔に配置されている。液晶表示パネル２０は長方形の形状であるが、発光ダイオード回路基板５１は長さ方向が液晶表示パネル２０の長辺と平行に配置されており、長さが比較的長い発光ダイオード回路基板５１ａと、長さが比較的短い発光ダイオード回路基板５１ｂとが繰り返して配置されている。発光ダイオード６０からは熱が多く発生するので、発光ダイオード回路基板５１は熱伝逹率に優れたアルミニウムを主材料として用いて作られることができる。図示しなかったが、熱放出を容易にするために、液晶表示装置１はヒットパイプ、放熱ピン、冷却ファンなどをさらに含むことができる。
【００４４】
発光ダイオード６０は、発光ダイオード回路基板５１に実装されており、液晶表示パネル２０の背面の全体にわたって配置されている。発光ダイオード６０は、光を発光するチップ６３、チップ６３と発光ダイオード回路基板５１とを接続するリード６４、リード６４を収容していてチップ６３を取り囲んでいるプラスチックモールド６５、そしてチップ６３の上部に位置するシリコーン６６及びバルブ６７を含む。バルブ６７はポリメチルメタクリレート（ＰＭＭＡ）で作られることができる。
【００４５】
発光ダイオード６０はバルブ６７の形態によって、主に側面へ光を発光するサイドエミッティング（ｓｉｄｅ  ｅｍｍｉｔｉｎｇ）方式と、主に上部へ光を発光するトップエミッティング（ｔｏｐ  ｅｍｍｉｔｉｎｇ）方式とに分けられる。このうちのサイドエミッティング方式は色の均一度は優秀であるが、輝度が低いという短所がある。一方、トップエミッティング方式は輝度は高いが、色の均一度が低い。本発明では、発光ダイオード６０の配置形態を変えて色の均一度を向上させるので、トップエミッティング方式の発光ダイオード６０を用いて輝度を増加させることが好ましい。
【００４６】
発光ダイオード６０は、３個の発光ダイオード６０からなる発光ダイオードグループ６１をなしながら、発光ダイオード回路基板５１に実装されている。発光ダイオードグループ６１は、それぞれ一つずつの赤色光の発光ダイオード６０ａ、緑色光の発光ダイオード６０ｂ、青色光の発光ダイオード６０ｃからなっており、これら発光ダイオード６０ａ、６０ｂ、６０ｃは正三角形をなすように配置されている。
【００４７】
発光ダイオード回路基板５１に一列に配置されている発光ダイオードグループ６１は、発光ダイオードグループ列（点光源グループ列）６２を形成する。長い発光ダイオード回路基板５１ａに位置する発光ダイオードグループ列６２ａは、１３個の発光ダイオードグループ６１を含み、短い発光ダイオード回路基板５１ｂに位置する発光ダイオードグループ列６２ｂは、１２個の発光ダイオードグループ６１を含む。発光ダイオードグループ列６２内で発光ダイオードグループ６１は一定の間隔で配置されている。隣接する発光ダイオードグループ列６２の発光ダイオードグループ６１は、互いに行き違うように配置されている。
【００４８】
発光ダイオードグループ列６２内の発光ダイオード６０の配置について、図３を参照して詳しく説明する。
【００４９】
発光ダイオードグループ列６２ａに配置されている発光ダイオードグループ６１において、隣接する発光ダイオードグループ６１の間の回転角（θ）が異なる。回転角は発光ダイオードグループ６１の回転の程度を示す。回転角は、これに限定されないが、たとえば、発光ダイオードグループ６１の中心から緑色発光ダイオード６０ｃの中心部を繋ぐ直線ａと、発光ダイオードグループ列６２の延長方向の垂直線ｂとがなす角に定義することができる。回転角が互いに異なるということは、平行移動では互いに重ならないということを意味する。
【００５０】
発光ダイオードグループ列６２ａに配置されている発光ダイオードグループ６１は、左側から右側に行きながら時計方向に回転されており、隣接する発光ダイオードグループ６１の間の回転角の差は一定である。発光ダイオードグループ６１は１５度ずつ回転して、発光ダイオードグループ列６２ａの両端に位置する発光ダイオードグループ６１の間には、１５度×（１３−１）、すなわち、１８０度の回転角の差が発生する。つまり、発光ダイオードグループ列６２ａの両端に位置する発光ダイオードグループ６１は、発光ダイオードグループ列６２の中心点を基準として点対称になっている。
【００５１】
発光ダイオードグループ列６２ｂに配置されている発光ダイオードグループ６１も、左側から右側に行きながら時計方向に回転し、全回転角は１８０度である。発光ダイオードグループ６１の回転によって互いに異なる色相を発光する発光ダイオード６０ａ、６０ｂ、６０ｃが向かう方向は、発光ダイオードグループ６１ごとに多様になって、一方向に一つの色相が集中することを防止することができる。赤色光の発光ダイオード６０ａを例に挙げて説明すれば、次の通りである。
【００５２】
赤色光の発光ダイオード６０ａは、発光ダイオードグループ列６２の左側では上部に向けているが、右側に行くほど時計方向に回転して発光ダイオードグループ列６２の右側では結局下部に向くようになる。３つの色相の発光ダイオード６０ａ、６０ｂ、６０ｃうちの赤色光の発光ダイオード６０ａから発生する光が使用者に最もよく認識され、赤色光の発光ダイオード６０ａが一列に配置された場合には、帯状に認識され得る。本発明ではこのような赤色光の発光ダイオード６０ａの位置が、発光ダイオードグループ列６２内で多様に変化するので、使用者が赤色光の発光ダイオード６０ａの配列を認識する問題が減少する。
【００５３】
一方、発光ダイオードグループ６１が回転せずに全体が同一の回転角を有する場合には、使用者の視野角によって色相が不均一になるという問題がある。例えば、左側で見れば緑色が強く（ｇｒｅｅｎｉｓｈ）、右側で見れば赤色が強く（ｒｅｄｄｉｓｈ）見えることである。本発明ではこのような問題も、発光ダイオードグループ６１の回転角を多様にすることによって、減少させることができる。
【００５４】
第１実施形態では、すべての発光ダイオードグループ列６２が同一の方向に回転したが、一部の発光ダイオードグループ列６２は他の方向に回転することも可能である。例えば、隣接する発光ダイオードグループ列６２のうちのいずれか一つは時計方向に回転し、他の一つは反時計方向に回転することができる。
【００５５】
また、第１実施形態では、発光ダイオードグループ６１の間の回転角が一定であるが、発光ダイオードグループ６１の間の回転角は一定でないこともあり得る。
【００５６】
図４は本発明の第２実施形態による発光ダイオードの配置を説明するための図面である。
【００５７】
発光ダイオードグループ列６２ａに配置されている発光ダイオードグループ６１は、第１実施形態と同様に回転している。しかし、第１実施形態とは異なって、発光ダイオードグループ列６２ｂに配置されている発光ダイオードグループ６１は回転されていない。
【００５８】
発光ダイオードグループ列６２ａに発光ダイオードグループ６１が１３個ある場合、１８０度の全回転角を有するためには１８０／（１３−１）度、つまり、１５度ずつ回転すれば良い。
【００５９】
一方、発光ダイオードグループ列６２ｂに発光ダイオードグループ６１が１２個ある場合、１８０度の全回転角を有するためには１８０／（１２−１）度、つまり、１６．３６３６度であって、定数値が出ない。この場合、発光ダイオード回路基板５１の設計が複雑になり得る。第２実施形態では、発光ダイオード回路基板５１の設計の複雑さを避けるために、発光ダイオード回路基板５１ｂに装着されている発光ダイオードグループ６１は回転させなかった。しかし、発光ダイオード回路基板５１ａに装着されている発光ダイオードグループ６１が回転配置されているので、色の均一度は向上する。
【００６０】
図５は本発明の第３実施形態による発光ダイオードの配置を説明するための図面である。
【００６１】
発光ダイオードグループ列６２の中心を基準として、両方の発光ダイオードグループ６１の回転方向が反対である。つまり、発光ダイオードグループ列６２の左側は時計方向に、発光ダイオードグループ列６２の右側は反時計方向に回転されている。奇数個の発光ダイオードグループ６１を有する発光ダイオードグループ列６２ａの中心は、７番目の発光ダイオードグループ６１であり、偶数個の発光ダイオードグループ６１を有する発光ダイオードグループ列６２ｂの中心は、６番目の発光ダイオードグループ６１及び７番目の発光ダイオードグループ６１の中央である。
【００６２】
第３実施形態によれば、発光ダイオード６０を左右対称に配置することができる。一方、発光ダイオードグループ列６２ｂの中央部分に赤色光の発光ダイオード６０ａが対向していて、色の均一度が低下することがあるが、発光ダイオード６０と液晶表示パネル２０との間の距離などを調節することでこれを解消することができる。
【００６３】
図６は本発明の第４実施形態による発光ダイオードの配置を説明するための図面である。
【００６４】
発光ダイオードグループ６１の間の回転角は３０度であり、発光ダイオードグループ列６２で発光ダイオードグループ６１の全回転角は３６０度である。これによって両端の発光ダイオードグループ６１は同じ回転角を有している。
【００６５】
第４実施形態では、すべての発光ダイオードグループ列６２が同一の全回転角を有しているが、各発光ダイオードグループ列６２が互いに異なる全回転角を有することも可能である。
【００６６】
図７は本発明の第５実施形態による発光ダイオードの配置を説明するための図面である。
【００６７】
第５実施形態において、発光ダイオード回路基板５１は全て長さが同一であり、装着されている発光ダイオードグループ６１の数も同一である。また、隣接する発光ダイオードグループ列６２に属する発光ダイオードグループ６１は互いに対応するように配置されている。但し、隣接する発光ダイオードグループ列６２の間に互いに対応する発光ダイオードグループ６１は、互いに異なる回転角を有している。
【００６８】
図８は本発明の第６実施形態による発光ダイオードの配置を説明するための図面である。
【００６９】
発光ダイオード回路基板５１は全て長さが同一であり、装着されている発光ダイオードグループ６１の数も同一である。各発光ダイオードグループ列６２の全回転角は１８０度として同一である。隣接する発光ダイオード回路基板５１は互いに行き違うように配置されていて、隣接する発光ダイオードグループ列６２に属する発光ダイオードグループ６１は互いに行き違うように配置されている。
【００７０】
図９は本発明の第７実施形態による発光ダイオードの配置を説明するための図面である。
【００７１】
各発光ダイオードグループ列６２ａ、６２ｂの配置と発光ダイオードグループ６１の個数は第１実施形態と同一である。但し、各発光ダイオードグループ列６２ａ、６２ｂは２個の発光ダイオード回路基板５１ｃ、５１ｄに装着されている。液晶表示装置１の大きさが大きくなるに伴って、発光ダイオード回路基板５１の長さも増加する。発光ダイオードグループ列６２ａ、６２ｂを複数の発光ダイオード回路基板５１ｃ、５１ｄに装着すれば、発光ダイオード回路基板５１の長さを減少させることができるので、発光ダイオード回路基板５１ｃ、５１ｄの製作と取り扱いが容易になる。
【００７２】
図１０は本発明の第８実施形態による発光ダイオードの配置を説明するための図面である。
【００７３】
発光ダイオードグループ６１は、それぞれ一つの赤色光の発光ダイオード６０ａ、青色光の発光ダイオード６０ｃ、及び一対の緑色光の発光ダイオード６０ｂを含む。発光ダイオード６０ａ、６０ｂ、６０ｃは菱形の形状をなしながら配置されており、一対の緑色光の発光ダイオード６０ｂが互いに対向している。
【００７４】
発光ダイオードグループ６１は、隣接する発光ダイオードグループ６１と１８０度の回転角を有して配置されている。これによって赤色光の発光ダイオード６０ａと青色光の発光ダイオード６０ｃとは位置を互いに変えながら配置される反面、一対の緑色光の発光ダイオード６０ｂは発光ダイオードグループ列６２の延長方向と平行に配置される。
【００７５】
図１１は本発明の第９実施形態による発光ダイオードの配置を説明するための図面である。
【００７６】
発光ダイオードグループ６１は、それぞれ一つの赤色光の発光ダイオード６０ａ、青色光の発光ダイオード６０ｃ、及び一対の緑色光の発光ダイオード６０ｂを含む。発光ダイオード６０ａ、６０ｂ、６０ｃは菱形の形状をなしながら配置されており、一対の緑色光の発光ダイオード６０ｂが互いに対向している。
【００７７】
発光ダイオードグループ６１は、隣接する発光ダイオードグループ６１と９０度の回転角を有して配置されている。これによって、一対の緑色光の発光ダイオード６０ｂは発光ダイオードグループ列６２の延長方向と平行な方向と垂直な方向とを交互的に配置している。
【００７８】
以上の実施形態では、発光ダイオードグループ６１が３個の発光ダイオード６０または４個の発光ダイオード６０から構成される場合を例に挙げたが、本発明はここに限定されない。また、発光ダイオードグループ６１を構成する発光ダイオード６０の色相構成は、本発明の実施形態と異なっても良い。
【００７９】
例として、本発明のいくつかの実施形態が図示され説明されたが、本発明が属する技術分野の通常の知識を有する当業者であれば、本発明の原則や精神から逸脱せずに本実施形態を変形できることが分かる。本発明の範囲は添付された請求項とその均等物によって決められなければならない。
【図面の簡単な説明】
【００８０】
【図１】本発明の第１実施形態による液晶表示装置の分解斜視図である。
【図２】本発明の第１実施形態による液晶表示装置の断面図である。
【図３】本発明の第１実施形態による発光ダイオードの配置を説明するための図面である。
【図４】本発明の第２実施形態による発光ダイオードの配置を説明するための図面である。
【図５】本発明の第３実施形態による発光ダイオードの配置を説明するための図面である。
【図６】本発明の第４実施形態による発光ダイオードの配置を説明するための図面である。
【図７】本発明の第５実施形態による発光ダイオードの配置を説明するための図面である。
【図８】本発明の第６実施形態による発光ダイオードの配置を説明するための図面である。
【図９】本発明の第７実施形態による発光ダイオードの配置を説明するための図面である。
【図１０】本発明の第８実施形態による発光ダイオードの配置を説明するための図面である。
【図１１】本発明の第９実施形態による発光ダイオードの配置を説明するための図面である。
【符号の説明】
【００８１】
１    液晶表示装置、
１０    上部シャシー、
２０  液晶表示パネル、
３０    光調節部材、
４０    反射板、
４１    発光ダイオード収容孔、
５１、５１ｃ、５１ｄ    発光ダイオード回路基板、
７０    下部シャシー、
６０    発光ダイオード、
６１    発光ダイオードグループ、
６０ａ、６０ｂ、６０ｃ    発光ダイオード、
６２、６２ａ、６２ｂ    発光ダイオードグループ列。
【図１】
2007027114.tif 000003
【図２】
2007027114.tif 000004
【図３】
2007027114.tif 000005
【図４】
2007027114.tif 000006
【図５】
2007027114.tif 000007
【図６】
2007027114.tif 000008
【図７】
2007027114.tif 000009
【図８】
2007027114.tif 000010
【図９】
2007027114.tif 000011
【図１０】
2007027114.tif 000012
【図１１】
2007027114.tif 000013